(57)【要約】【課題】版面の部位によって湿し水の供給に偏りが起きることがなく印刷物の全体において高い印刷品質を得ることができ、しかも設置空間を小さくして適用可能な対象印刷機を広げた湿し水供給装置を提供する。【解決手段】  水元ローラのローラ表面が湿し水に浸漬するように湿し水を溜める１つの水舟と、回転することにより水舟が溜めている湿し水を自身のローラ表面に取出す１つの水元ローラと、水元ローラから転移された湿し水を後方ローラ群へと転移させるとともにその転移量を調節する１つの調量ローラとを有する湿し水供給装置であって、後方ローラ群は複数組の後方ローラ群からなり、複数の水着けローラが版面に接触して湿し水をその版面に転移させるように構成した。【選択図】  図１
2008110542.tif 000002
【特許請求の範囲】
【請求項１】
水元ローラのローラ表面が湿し水に浸漬するように湿し水を溜める１つの水舟と、回転することにより前記水舟が溜めている湿し水を自身のローラ表面に取出す１つの水元ローラと、前記水元ローラから転移された前記湿し水を後方ローラ群へと転移させるとともにその転移量を調節する１つの調量ローラとを有する湿し水供給装置であって、前記後方ローラ群は複数組の後方ローラ群からなり、複数の水着けローラが版面に接触して前記湿し水をその版面に転移させるように構成したことを特徴とする湿し水供給装置。
【請求項２】
請求項１記載の湿し水供給装置において、前記後方ローラ群の１つの組は、前記調量ローラから転移された前記湿し水を前記水着けローラへと転移させる１つの水移しローラと、前記水移しローラから転移された前記湿し水を前記版面に転移させる１つの水着けローラとからなることを特徴とする湿し水供給装置。
【請求項３】
請求項１記載の湿し水供給装置において、前記後方ローラ群の１つの組は、前記調量ローラから転移された前記湿し水を前記水着けローラへと転移させる１つの水移しローラと、前記水移しローラから転移された前記湿し水を前記版面に転移させる並列配置の２つの水着けローラとからなることを特徴とする湿し水供給装置。
【請求項４】
請求項１記載の湿し水供給装置において、前記後方ローラ群の１つの組は、前記調量ローラから転移された前記湿し水を前記水着けローラへと転移させる直列配置の２つの水移しローラと、前記水移しローラから転移された前記湿し水を前記版面に転移させる並列配置の２つの水着けローラとからなることを特徴とする湿し水供給装置。
【発明の詳細な説明】
【技術分野】
【０００１】
本発明はオフセット印刷機の技術分野に属する。特に、印刷版の全面において過不足なく安定的に湿し水を供給することができる湿し水供給装置に関する。
【背景技術】
【０００２】
オフセット印刷機においては、画線部が親油性で非画線部が保水性を有する平版の印刷版を使用する。印刷版の全面に湿し水を接触させるとその保水性を有する非画線部にだけ湿し水が転移する。印刷インキは親油性であるとともに湿し水に反撥する性質を有する。その印刷インキを印刷版の全面に接触させると、印刷インキは親油性を有する画線部だけに転移する。オフセット印刷機はこの原理により印刷版にインキ画像を形成しブランケットを介して印刷用紙にそのインキ画像を転写する方式（オフセットで転写する方式）の印刷機である。
オフセット印刷機の印刷ユニット（の一部分）におけるローラ配置の一例を図４に示す。印刷ユニットには、図４に示すように、湿し水を版面に供給する湿し水供給部１００と、インキを版面に供給するインキ供給部２００と、印刷版の装着ローラである版胴３００と、版胴から画像化したインキを受け取り印刷用紙に転写するブランケットの装着ローラであるブランケット胴４００とが存在する。湿し水供給部１００には、湿し水を溜める水舟１０１と、その水舟１０１の湿し水にローラ表面が浸漬して回転することにより湿し水をローラ表面に取出す水元ローラ１０２と、その水元ローラ１０２から転移された湿し水を水移しローラ１０３へと転移させるとともにその転移量を調節する調量ローラ１０３と、その調量ローラ１０３から転移された湿し水を水着けローラ１０５へと転移させる水移しローラ１０４と、その水移しローラ１０４から転移された湿し水を版胴３００へと転移させる水着けローラ１０５とが存在する。
【０００３】
オフセット印刷機においては、上述のように、親油性であるとともに湿し水に反撥する印刷インキの性質を利用している。そのため、湿し水を過剰に供給すると、ハイライトが飛ぶ、インキが乳化して印刷汚れが発生する、等の問題が起きる。その反対に、湿し水の供給量が不足すると、シャドーが潰れる、地汚れ（非画線部の汚れ）が発生する、等の問題が起きる。したがって、非画線部に適量の湿し水が存在するようにする必要性がある。一方、非画線部の湿し水は、インキローラやブランケット胴４００に接触することによって転移して失われ、また、揮発によっても空気中に飛散して失われる。そこで、失われた湿し水を補給するために、湿し水供給部１００からは適量の湿し水を印刷版に供給することが正常な印刷を行う上で極めて重要である。そのため、適量の湿し水を供給する方法については多数の発明がある（特許文献１、特許文献２、特許文献３）。
【特許文献１】特開昭６１−１４８０６１号公報
【特許文献２】特開平４−８３６４３号公報
【特許文献３】特開２００１−３１０４４５号公報  ところが、これらの発明は全体として適量の湿し水を印刷版に供給するための発明である。全体としては適量となるように調節されていたとしても、部分としては適量とはならないということが起き得る。たとえば、湿し水供給部１００におけるローラの状態が左右方向（ローラ軸の方向）に対して不均一であると、その方向において偏った湿し水の供給が行われることになる。湿し水供給部１００におけるローラ間のニップ不良の一例を図５に示す。図５に示すように、調量ローラ１０３と水移しローラ１０４は片ぎきの状態、すなわち左右方向においてニップの強さが異なっており、右側においてローラ間が非接触のニップ不良領域が存在する。このニップ不良領域からは湿し水が転移して行かないから、版胴３００の右側に湿し水供給不足領域が出現することになる。  そこで、必要なところに必要な量の湿し水を供給し印刷物における濃度ムラの発生を防止するために、複数個の湿し水供給系を設けた発明がある（特許文献４）。
【特許文献４】特開平５−５７８６８号公報  しかしながら、この発明においては、複数個の湿し水供給系を印刷ユニットにおける版胴３００の周囲に設けなければならない。この周囲には、湿し水供給部１００とともにインキ供給部２００が設けられており、多くのオフセット印刷機においては、新たな湿し水供給系を設ける空間は存在しないというのが実情である。したがって、この発明を実施することできるオフセット印刷機は、特殊なものに限定されるという問題がある。
【発明の開示】
【発明が解決しようとする課題】
【０００４】
本発明は上記の問題を解決するために成されたものである。その目的は、版面の部位によって湿し水の供給に偏りが起きることがなく印刷物の全体において高い印刷品質を得ることができ、しかも設置空間を小さくして適用可能な対象印刷機を広げた湿し水供給装置を提供することにある。
【課題を解決するための手段】
【０００５】
本発明の請求項１に係る湿し水供給装置は、水元ローラのローラ表面が湿し水に浸漬するように湿し水を溜める１つの水舟と、回転することにより前記水舟が溜めている湿し水を自身のローラ表面に取出す１つの水元ローラと、前記水元ローラから転移された前記湿し水を後方ローラ群へと転移させるとともにその転移量を調節する１つの調量ローラとを有する湿し水供給装置であって、前記後方ローラ群は複数組の後方ローラ群からなり、複数の水着けローラが版面に接触して前記湿し水をその版面に転移させるように構成したものである。
また本発明の請求項２に係る湿し水供給装置は、請求項１に係る湿し水供給装置において、前記後方ローラ群の１つの組は、前記調量ローラから転移された前記湿し水を前記水着けローラへと転移させる１つの水移しローラと、前記水移しローラから転移された前記湿し水を前記版面に転移させる１つの水着けローラとからなるようにしたものである。
また本発明の請求項３に係る湿し水供給装置は、請求項１に係る湿し水供給装置において、前記後方ローラ群の１つの組は、前記調量ローラから転移された前記湿し水を前記水着けローラへと転移させる１つの水移しローラと、前記水移しローラから転移された前記湿し水を前記版面に転移させる並列配置の２つの水着けローラとからなるようにしたものである。
また本発明の請求項４に係る湿し水供給装置は、請求項１に係る湿し水供給装置において、前記後方ローラ群の１つの組は、前記調量ローラから転移された前記湿し水を前記水着けローラへと転移させる直列配置の２つの水移しローラと、前記水移しローラから転移された前記湿し水を前記版面に転移させる並列配置の２つの水着けローラとからなるようにしたものである。
【発明の効果】
【０００６】
本発明の請求項１に係る湿し水供給装置によれば、１つの水舟により水元ローラのローラ表面が湿し水に浸漬するように湿し水が溜められ、１つの水元ローラが回転することにより水舟が溜めている湿し水がそのローラ表面に取出され、１つの調量ローラにより水元ローラから転移された湿し水が後方ローラ群へと転移されるとともにその転移量が調節され、その後方ローラ群は複数組の後方ローラ群からなり、複数の水着けローラが版面に接触して湿し水がその版面に転移される。すなわち、水舟を含む前方ローラ群は１組のまま後方ローラ群だけを複数組とした。したがって、版面の部位によって湿し水の供給に偏りが起きることがなく印刷物の全体において高い印刷品質を得ることができ、しかも設置空間を小さくして適用可能な対象印刷機を広げた湿し水供給装置が提供される。
また本発明の請求項２に係る湿し水供給装置によれば、請求項１に係る湿し水供給装置において、後方ローラ群の１つの組は、調量ローラから転移された湿し水を水着けローラへと転移させる１つの水移しローラと、水移しローラから転移された湿し水を版面に転移させる１つの水着けローラとからなる。すなわち、後方ローラ群の１つの組は、僅か２本のローラによって構成される。したがって、設置空間を著しく小さくすることができる。
また本発明の請求項３に係る湿し水供給装置によれば、請求項１に係る湿し水供給装置において、後方ローラ群の１つの組は、調量ローラから転移された湿し水を水着けローラへと転移させる１つの水移しローラと、水移しローラから転移された湿し水を前記版面に転移させる並列配置の２つの水着けローラとからなる。すなわち、後方ローラ群の１つの組は、３本のローラによって構成されその内の２つは並列配置の水着けローラである。したがって、設置空間が小さいまま湿し水の供給の偏りを特に小さくすることができる。
また本発明の請求項４に係る湿し水供給装置によれば、請求項１に係る湿し水供給装置において、後方ローラ群の１つの組は、調量ローラから転移された湿し水を水着けローラへと転移させる直列配置の２つの水移しローラと、水移しローラから転移された湿し水を版面に転移させる並列配置の２つの水着けローラとからなる。すなわち、後方ローラ群の１つの組は、４本のローラによって構成され、直列配置の水移しローラと並列配置の水着けローラによって湿し水の分布が均一化される。したがって、湿し水の供給の偏りを著しく小さくすることができる。
【発明を実施するための最良の形態】
【０００７】
次に、本発明の実施の形態について図を参照しながら説明する。本発明の湿し水供給装置における構成の一例を図１に示す。図１において、１は水舟、２は水元ローラ、３は調量ローラ、４ａ，４ｂは水移しローラ、５ａ，５ｂは水着けローラ、２００はインキ供給部、３００は版胴、４００はブランケット胴である。
水舟１は、水元ローラ２におけるローラ部分の全長にわたってローラ表面が浸漬するように、湿し水を溜める容器である。湿し水はオフセット印刷における印刷版（平版印刷版）における非画線部にインキが付着しないように非画線部を湿らせるための水である。図１に示す一例において、水舟１は片面一色の印刷部に対して１つ存在する。
【０００８】
水元ローラ２は、水舟１に溜められた湿し水にローラ部分の一部において浸漬している。水元ローラ２は、回転することにより水舟１が溜めている湿し水を、湿し水に浸漬されていない自身のローラ表面に取出す。水元ローラ２は調量ローラ３と互いのローラ表面において接触し回転している。水元ローラ２は、水元ローラ２のローラ表面に取出された湿し水をその接触部分を通じて調量ローラ３に転移させる。図１に示す一例において、水元ローラ２は片面一色の印刷部に対して１つ存在する。
調量ローラ３は、水元ローラ２から転移された湿し水を後方ローラ群へと転移させるとともにその転移量を調節する。たとえば、調量ローラ３はその支持部を偏心状に形成されており、エアシリンダの伸縮により水元ローラ２との接触圧を一定に保つたまま水移しローラ４ａ，４ｂに対して着脱する構成となっている。図１に示す一例において、調量ローラ３は片面一色の印刷部に対して１つ存在する。
【０００９】
水移しローラ４ａ，４ｂは、後方ローラ群のローラである。水移しローラ４ａは、水着けローラ５ａと互いのローラ表面において接触し回転している。水移しローラ４ａは、調量ローラ３が着のときに、調量ローラ３から転移された湿し水をその接触部分を通じて水着けローラ５ａに転移させる。また水移しローラ４ｂは、水着けローラ５ｂと互いのローラ表面において接触し回転している。水移しローラ４ｂは、調量ローラ３が着のときに、調量ローラ３から転移された湿し水をその接触部分を通じて水着けローラ５ｂに転移させる。図１に示す一例において、水移しローラは、片面一色の印刷部に対して２つ、すなわち水移しローラ４ａ，４ｂの２つが存在する。
水着けローラ５ａ，５ｂは、後方ローラ群のローラである。水着けローラ５ａ，５ｂのローラ表面は、版胴３００の周面に対して着脱する構成となっており、着のときには印刷版の表面（版面）と接触し回転している。水着けローラ５ａ，５ｂの各々は、水移しローラ４ａ，４ｂの各々から転移された湿し水をその接触部分を通じて版面に転移させる。図１に示す一例において、水着けローラ５ａ，５ｂは、オフセット印刷機の１つの印刷ユニットに対して２つ、すなわち水着けローラ５ａ，５ｂの２つが存在する。
【００１０】
このように、図１に示す一例において、後方ローラ群は２組の後方ローラ群からなり、後方ローラ群の１つの組は、調量ローラから転移された湿し水を水着けローラへと転移させる１つの水移しローラと、水移しローラから転移された湿し水を版面に転移させる１つの水着けローラとからなる。すなわち、後方ローラ群の１つの組は、僅か２本のローラによって構成され，全体では２つの水着けローラが版面に接触して湿し水をその版面に転移させる構成となっている。したがって、版面の部位によって湿し水の供給に偏りが起きることがなく印刷物の全体において高い印刷品質を得ることができ、しかも特に設置空間が小さくて済むから適用可能な対象印刷機を広げることができる。
【００１１】
次に、本発明の湿し水供給装置における構成の別の一例を図２に示す。図２において、２１は水舟、２２は水元ローラ、２３は調量ローラ、２４ａ，２４ｂは水移しローラ、２５ａ，２５ｂ，２５ｃ，２５ｄは水着けローラ、２００はインキ供給部、３００は版胴、４００はブランケット胴である。
水舟２１は、水元ローラ２２におけるローラ部分の全長にわたってローラ表面が浸漬するように、湿し水を溜める容器である。湿し水はオフセット印刷における印刷版（平版印刷版）における非画線部にインキが付着しないように非画線部を湿らせるための水である。図２に示す一例において、水舟２１は片面一色の印刷部に対して１つ存在する。
【００１２】
水元ローラ２２は、水舟２１に溜められた湿し水にローラ部分の一部において浸漬している。水元ローラ２２は、回転することにより水舟２１が溜めている湿し水を、湿し水に浸漬されていない自身のローラ表面に取出す。水元ローラ２２は調量ローラ２３と互いのローラ表面において接触し回転している。水元ローラ２２は、水元ローラ２２のローラ表面に取出された湿し水をその接触部分を通じて調量ローラ２３に転移させる。図２に示す一例において、水元ローラ２２は片面一色の印刷部に対して１つ存在する。
調量ローラ２３は、水元ローラ２２から転移された湿し水を後方ローラ群へと転移させるとともにその転移量を調節する。たとえば、調量ローラ２３はその支持部を偏心状に形成されており、エアシリンダの伸縮により水元ローラ２２との接触圧を一定に保つたまま水移しローラ２４ａ，２４ｂに対して着脱する構成となっている。図２に示す一例において、調量ローラ２３は片面一色の印刷部に対して１つ存在する。
【００１３】
水移しローラ２４ａ，２４ｂは、後方ローラ群のローラである。水移しローラ２４ａは、２つの水着けローラ２５ａ，２５ｂと互いのローラ表面において接触し回転している。水移しローラ２４ａは、調量ローラ２３が着のときに、調量ローラ２３から転移された湿し水をその接触部分を通じて２つの水着けローラ２５ａ，２５ｂに転移させる。また水移しローラ２４ｂは、水着けローラ２５ｃ，２５ｄと互いのローラ表面において接触し回転している。水移しローラ２４ｂは、調量ローラ２３が着のときに、調量ローラ２３から転移された湿し水をその接触部分を通じて水着けローラ２５ｃ，２５ｄに転移させる。図２に示す一例において、水移しローラは、片面一色の印刷部に対して２つ、すなわち水移しローラ２４ａ，２４ｂの２つが存在する。
水着けローラ２５ａ，２５ｂ，２５ｃ，２５ｄは、後方ローラ群のローラである。水着けローラ２５ａ，２５ｂ，２５ｃ，２５ｄのローラ表面は、版胴３００の周面に対して着脱する構成となっており、着のときには印刷版の表面（版面）と接触し回転している。水着けローラ２５ａ，２５ｂは、水移しローラ２４ａから、また水着けローラ２５ｃ，２５ｄは、水移しローラ２４ｂから転移された湿し水をその接触部分を通じて版面に転移させる。図２に示す一例において、水着けローラは、片面一色の印刷部に対して４つ、すなわち水着けローラ２５ａ，２５ｂ，２５ｃ，２５ｄの４つが存在する。
【００１４】
このように、図２に示す一例において、後方ローラ群は２組の後方ローラ群からなり、後方ローラ群の１つの組は、調量ローラから転移された湿し水を水着けローラへと転移させる１つの水移しローラと、水移しローラから転移された湿し水を版面に転移させる並列配置の２つの水着けローラとからなる。すなわち、後方ローラ群の１つの組は、３本のローラによって構成され、その内の２つは並列配置の水着けローラであって全体では４つの水着けローラが版面に接触して湿し水をその版面に転移させる構成となっている。したがって、版面の部位によって湿し水の供給に偏りを特に小さくすることができ、印刷物の全体において高い印刷品質を得ることができ、しかも設置空間が小さくて済むから適用可能な対象印刷機を広げることができる。
【００１５】
次に、本発明の湿し水供給装置における構成の別の一例を図３に示す。図３において、３１は水舟、３２は水元ローラ、３３は調量ローラ、３４ａ，３４ｂ，３４ａ，３４ｂは水移しローラ、３５ａ，３５ｂ，３５ｃ，３５ｄは水着けローラ、２００はインキ供給部、３００は版胴、４００はブランケット胴である。
水舟３１は、水元ローラ３２におけるローラ部分の全長にわたってローラ表面が浸漬するように、湿し水を溜める容器である。湿し水はオフセット印刷における印刷版（平版印刷版）における非画線部にインキが付着しないように非画線部を湿らせるための水である。図３に示す一例において、水舟３１は片面一色の印刷部に対して１つ存在する。
【００１６】
水元ローラ３２は、水舟３１に溜められた湿し水にローラ部分の一部において浸漬している。水元ローラ３２は、回転することにより水舟３１が溜めている湿し水を、湿し水に浸漬されていない自身のローラ表面に取出す。水元ローラ３２は調量ローラ３３と互いのローラ表面において接触し回転している。水元ローラ３２は、水元ローラ３２のローラ表面に取出された湿し水をその接触部分を通じて調量ローラ３３に転移させる。図３に示す一例において、水元ローラ３２は片面一色の印刷部に対して１つ存在する。
調量ローラ３３は、水元ローラ３２から転移された湿し水を後方ローラ群へと転移させるとともにその転移量を調節する。たとえば、調量ローラ３３はその支持部を偏心状に形成されており、エアシリンダの伸縮により水元ローラ３２との接触圧を一定に保つたまま水移しローラ３４ａ，３４ｂに対して着脱する構成となっている。図３に示す一例において、調量ローラ３３は片面一色の印刷部に対して１つ存在する。
【００１７】
水移しローラ３４ａ，３４ｂ，３４ｃ，３４ｄは、後方ローラ群のローラである。水移しローラ２４ａは、水移しローラ２４ｂと互いのローラ表面において接触し回転している。水移しローラ３４ａは、調量ローラ３３が着のときに、調量ローラ３３から転移された湿し水をその接触部分を通じて水移しローラ３４ｂに転移させる。水移しローラ３４ｂは、２つの水着けローラ３５ａ，３５ｂと互いのローラ表面において接触し回転している。水移しローラ３４ｂは、水移しローラ２４ａから転移された湿し水をその接触部分を通じて２つの水着けローラ３５ａ，３５ｂに転移させる。また水移しローラ３４ｃは、水移しローラ３４ｄと互いのローラ表面において接触し回転している。水移しローラ３４ｃは、調量ローラ３３が着のときに、調量ローラ３３から転移された湿し水をその接触部分を通じて水移しローラ３４ｄに転移させる。水移しローラ３４ｄは、２つの水着けローラ３５ｃ，３５ｄと互いのローラ表面において接触し回転している。水移しローラ３４ｄは、水移しローラ３４ｃから転移された湿し水をその接触部分を通じて２つの水着けローラ３５ｃ，３５ｄに転移させる。図３に示す一例において、水移しローラは、片面一色の印刷部に対して４つ、すなわち水移しローラ３４ａ，３４ｂ，３４ｃ，３４ｄの４つが存在する。
【００１８】
水着けローラ３５ａ，３５ｂ，３５ｃ，３５ｄは、後方ローラ群のローラである。水着けローラ３５ａ，３５ｂ，３５ｃ，３５ｄのローラ表面は、版胴３００の周面に対して着脱する構成となっており、着のときには印刷版の表面（版面）と接触し回転している。水着けローラ３５ａ，３５ｂは、水移しローラ３４ｂから、また水着けローラ３５ｃ，３５ｄは、水移しローラ３４ｄから転移された湿し水をその接触部分を通じて版面に転移させる。図３に示す一例において、水着けローラは、片面一色の印刷部に対して４つ、すなわち水着けローラ３５ａ，３５ｂ，３５ｃ，３５ｄの４つが存在する。
【００１９】
このように、図３に示す一例において、後方ローラ群は２組の後方ローラ群からなり、後方ローラ群の１つの組は、調量ローラから転移された湿し水を水着けローラへと転移させる直列配置の２つの水移しローラと、水移しローラから転移された湿し水を版面に転移させる並列配置の２つの水着けローラとからなる。すなわち、後方ローラ群の１つの組は、４本のローラによって構成され直列配置の水移しローラと並列配置の水着けローラによって湿し水の分布が均一化される構成となっている。したがって、版面の部位によって湿し水の供給に偏りを著しく小さくすることができ、印刷物の全体において高い印刷品質を得ることができ、しかも設置空間が小さくて済むから適用可能な対象印刷機を広げることができる。
【図面の簡単な説明】
【００２０】
【図１】本発明の湿し水供給装置における構成の一例（その１）を示す図である。
【図２】本発明の湿し水供給装置における構成の一例（その２）を示す図である。
【図３】本発明の湿し水供給装置における構成の一例（その３）を示す図である。
【図４】オフセット印刷機の印刷ユニット（の一部分）におけるローラ配置の一例を示す図である。
【図５】湿し水供給部におけるローラ間のニップ不良の一例を示す図である。
【符号の説明】
【００２１】
１，２１，３１  水舟
２，２２，３２  水元ローラ
３，２３，３３  調量ローラ
４ａ，４ｂ，２４ａ，２４ｂ，３４ａ，３４ｂ，３４ｃ，３４ｄ  水移しローラ
５ａ，５ｂ，２５ａ，２５ｂ，２５ｃ，２５ｄ，３５ａ，３５ｂ，３５ｃ，３５ｄ  水着けローラ
２００  インキ供給部
３００  版胴
４００  ブランケット胴
【図１】
2008110542.tif 000003
【図２】
2008110542.tif 000004
【図３】
2008110542.tif 000005
【図４】
2008110542.tif 000006
【図５】
2008110542.tif 000007